(57)【要約】本発明は、とりわけコレクターのアイテムとしてかつ／又はゲームで使用するために適しかつハンドルと、第２玩具製品との結合を作用させるための連結部であって、結合要素を介して前記ハンドルに取り付けられ、かつ所定の力又はトルクが作用した場合に外れる連結部とを備える玩具製品に関するものである。
2004521716.tif 000002
【特許請求の範囲】
【請求項１】
とりわけコレクターのアイテムとしてかつ／又はゲームで使用するために適しかつハンドルを備えた玩具製品において、
第２玩具製品との結合を作用させるための連結部であって、結合要素を介して前記ハンドルに取り付けられ、かつ所定の力又はトルクが作用した場合に折れる連結部を特徴とする玩具製品。
【請求項２】
前記結合要素が、所定の力又はトルクで外れることを特徴とする請求項１記載の玩具製品。
【請求項３】
第２玩具製品に連結されるべく意図した前記連結部の部分が、実質的に同一の連結部に連結可能であるような形状とされたことを特徴とする請求項１又は２に記載の玩具製品。
【請求項４】
第２玩具製品に連結されるべく意図した連結部の部分が、突出部と該突出部に対して相補的な空洞部分とを備えることを特徴とする請求項１乃至３の何れか１項記載の玩具製品。
【請求項５】
前記突出部はくさび形状であることを特徴とする請求項４記載の玩具製品。
【請求項６】
前記結合要素は、剪断ピンを構成するか又は剪断ピンを備えることを特徴とする請求項１乃至５の何れか１項記載の玩具製品。
【請求項７】
前記連結部は、１回限りのスナップ結合により前記結合要素に結合されることを特徴とする請求項１乃至６の何れか１項記載の玩具製品。
【請求項８】
前記連結部又は前記ハンドルは、円柱部分を備え、かつ該円柱部分により、それぞれ前記ハンドル内又は前記連結部内の円柱状空洞部に取り付けられることを特徴とする請求項１乃至７の何れか１項記載の玩具製品。
【請求項９】
前記結合要素は、前記円柱状空洞部の壁部又は底部に取り付けられることを特徴とする請求項８記載の玩具製品。
【請求項１０】
前記連結部と前記結合要素との間には、所定量の遊びがあることを特徴とする請求項１乃至９の何れか１項記載の玩具製品。
【請求項１１】
前記ハンドル及び／又は前記連結部は、文字又は絵文字といったシンボルを具備していることを特徴とする請求項１乃至１０の何れか１項記載の玩具製品。
【請求項１２】
前記シンボルは、前記結合要素が依然として無傷である限り目に見えないこと特徴とする請求項１１記載の玩具製品。
【請求項１３】
請求項１乃至１２の何れか１項による多数の玩具製品のコレクション。
【発明の詳細な説明】
【０００１】
【発明の属する技術分野】
本発明は、とりわけコレクターのアイテムとして適するものでありかつ／又はゲームで使用するための玩具製品に関するもので、該玩具製品はハンドルを備えている。
【０００２】
【従来の技術及び発明が解決しようとする課題】
このような玩具製品はそれ自体知られており、例えば、コーンフレークの箱に又はポテトチップスの袋に添えられている。このような玩具製品の非常によく知られている例は、いわゆるｆｌｉｐｐｏ（登録商標）である。これは、例えば、表面に絵が印刷されたカードボード又はプラスチックであって、とりわけコレクターの子供向けアイテムとしてかつゲームを遊ぶ際の補助として使用されるラミネートされたカードボード又はプラスチックの円形ディスクである。本発明の目的は、特に、ゲームを遊ぶことに関する追加の可能性を提供する請求項の前提部分に言及した種類の玩具製品を提供することである。
【０００３】
【課題を解決するための手段】
上記目的を達成するために、本発明による玩具製品は、第２玩具製品との結合を作用させるための連結部であって、結合要素を介して前記ハンドルに取り付けられ、かつ所定の力又はトルクが作用した場合に外れる連結部を特徴としている。
【０００４】
このような玩具製品は、ユーザにより第２玩具製品に結合可能である。この第２玩具製品は第１玩具製品と同一であってもよい。よって、１ユーザ又は両ユーザは、２つの玩具製品のうちの一方の結合要素が折れるまで、力又はトルクを発生させることが可能である。よって、ゲーム又は対戦を遊ぶことが可能となっており、そのゲーム又は対戦は、例えば連結部が外れていなかった玩具製品のユーザが勝者で有り続けるといったものである。
【０００５】
結合要素は、所定の力又はトルクで外れる（ｂｒｅａｋ ｌｏｏｓｅ）ことにより折れる（ｇｉｖｅ ｗａｙ）ことが好ましい。結合要素が外れてしまった玩具製品は、その場合に明らかに欠けており、かつ潜在的に参加している製品の母集団の一部を殆ど構成することができない。さらに、外れた連結部及び／又はハンドルは、ゲームの勝者にとってトロフィーとしての役割を果たしても良い。
【０００６】
第２玩具製品に結合されるべく意図した連結部の一部を同一形状である連結部に結合可能であるような形状とした場合に、上述した母集団の一部を構成する玩具製品は、全て同一形状を有することが可能である。これは製造の観点から有利点を有している。なぜならば、その場合には、ただ一つの金型又は金型対が必要とされるからである。さらに、このような玩具製品の各所有者は、他の各所有者とゲーム又は対戦を遊ぶことが可能となるであろう。
【０００７】
非常に適切な態様は、第２玩具製品に結合されるべく意図した連結部の一部が、突出部と該突出部に対して相補的である空洞部を備えているものである。このような構成が使用される場合には第１玩具製品と第２玩具製品とを互いに容易に取付可能であること、さらに結合要素又は各結合要素に対して充分大きな力又はトルクを作用させることが可能であることが、明らかとなっていた。突出部がさらにくさび形状であるならば、結合がなされる場合に各連結部が連結するであろう。よって、各結合要素のうちの１つが折れた後に、一方の玩具製品の連結部が他方の玩具製品の連結部に結合され続け、かつ前記連結部を後の段階で解放可能である。
【０００８】
さらに、１回限りのスナップ結合により連結部をハンドル又は結合要素に結合することが好ましい。このようなスナップ結合は容易に作用可能であり、かつ該スナップ結合は結合に必要とされる各部材の少なくとも１つを視覚的かつ永久的に損傷させることにより解くことだけが可能である。
【０００９】
本発明による玩具製品の好適な態様では、連結部又はハンドルが、円柱部分を備え、該円柱部分により、それぞれハンドル内又は連結部内の円柱状空洞部内に取り付けられる。このような態様が使用される場合には、生成するトルクが結合要素に効果的に伝達可能である。このような玩具製品により、結合要素が、好ましくは、円柱状空洞部の壁部又は底部に取り付けられる。
【００１０】
さらに、一方の連結部と他方の結合要素及び／又はハンドルとの間には、所定量の遊びがあることが好ましい。前記遊びにより、互いに隣接している又は互いに取り囲んでいる各部材間の移動の幾分かの自由を許容しているので、ゲーム又は対戦を開始する前に、例えば、連結部をハンドルに接着することにより、玩具製品に手が加えられたものであるか否かを確認することが可能である。
【００１１】
本発明は、さらに、上述したような多くの玩具製品の収集に関係している。このような収集は、例えば、（大）多数の消費者製品以上に分配されてもよくかつ／又はゲーム又はゲームショーで使用されてもよい。
【００１２】
【発明の実施の形態】
以下、各図面で説明している２つの例示的実施形態により本発明をより詳細に説明する。
図１は第１分離キー１と第２分離キー２とを示し、これらは互いに完全に同一のものである。分離キー１，２は（この場合には、中央加熱システムを抜き取るためのキー形態である）ハンドル３を備えている。分離キー１のハンドル３の上側は平坦で薄いが、その厚さは下側（図１の右側）に向かうにつれて増大している。ここで、分離キー１は円柱状空洞部５を形成する中空円筒部４を備えている。連結部６は、円柱状空洞部５内に収容されている。前記連結部６（アダプタとも称することが可能である）は円柱部分（ｃｙｌｉｎｄｒｉｃａｌ ｐｏｒｔｉｏｎ）７を備え、該円柱部分の直径は円柱状空洞部５の内径よりも小さい。連結部６の円柱部分７の回転対称軸線は、円柱状空洞部５の回転対称軸線と（実質的に）一致している。
【００１３】
連結部６の下側は、第２分離キー２の連結部６’に結合されるために意図したものである。２つの連結部６，６’は、それぞれ突出部９，９’を備え、かつそれぞれ相補的な空洞部分８，８’を備えている。分離キー１は、突出部９を空洞部分８’内に挿入することにより分離キー２に結合可能である。これにより、突出部９は空洞部分８内に同様に挿入される。
【００１４】
分離キー１は、さらに、結合要素又は分離ピン１０を備えており、該結合要素又は分離ピンは円柱状空洞部５の底部に取り付けられている。分離ピン１０は、円柱状空洞部（ｃｙｌｉｎｄｒｉｃａｌ ｃａｖｉｔｙ）５の底部から離れる方向に向いている端部にくさび形状とされた厚み部１１を有し、その厚み部は直角形成された端部を備えている。さらに、連結部６は、分離ピン１０を受容するために、その上側に凹所１２を具備している。凹所１２は直角形成された端部１３を備え、この手法ではスナップ結合を確立するために、端部はくさび形状とされた厚み部１１の直角端部と嵌合する。前記スナップ結合を確立することは、凹所１２に傾斜壁部１４を形成することにより、さらに容易にすることが可能である。
【００１５】
図２は、結合がなされた後であって、かつトルクモーメントが各ハンドル３，３’の一方又は双方により連結部６，６’間の結合に作用した後の円柱状空洞部５，５’と連結部６，６’とを示している。前記トルクは、分離ピン１０’の脚部にて、前記分離ピン１０’の強度を超える力となっていた。結果として、分離ピン１０’は挟み取られており、かつ分離キー２が明らかにかつ永久的に損傷している。
【００１６】
各突出部９，９’はくさび形状とされ、第２分離キー２の連結部６’は第１分離キー１の連結部６内に締め付けられたままである。これにより、前記各対称軸線方向に離れるように各分離キー１，２を引くことにより、前記連結部が円柱状空洞部５’から取り外し可能である。
【００１７】
分離ピン１０，１０’の強度は、複数の手法で変更可能である。例えば、分離ピン１０の半径方向距離は、作用したトルクが分離ピン１０の剪断力に変換される程度を決定することが可能である。分離ピン１０が円柱状空洞部５の対称軸線に近く配置されるほど、分離ピン１０の脚部にて、作用したトルクにより生じる剪断力が大きくなり、かつ分離ピン１０がより早く折れるであろう。
【００１８】
さらに、分離ピンの強度は、その厚さを変化させることにより、又は分離キーの材料に対する添加剤（該添加剤は、材料の特性を害するか、又は反対に該特性を向上させる）により変更可能である。さらに、同一の手法によりかつ同一の材料により製造された各分離キーが強度において顕著な差異を依然として示すことが、実際には明らかとなっている。この差異は、おそらく製造公差によるものである。
【００１９】
図３Ａ〜図３Ｃは、本発明による玩具製品の第２実施形態、すなわちディスク形状ハンドル３２を備える第２のタイプの分離キー３１を示している。ディスク形状ハンドル３２は孔３３を有しており、この孔によりユーザは１つ又は２つ以上の分離キー３１を１束又は１群のキーに取付可能である。この実施形態では、ハンドル３２が比較的大きな表面積を有し、ハンドルは該ハンドル上に絵又はテキストを配置するように使用可能である。
【００２０】
さらに、この分離キー３１は中空円筒部３４を有しており、該円筒部は円柱状空洞部３５を備えている。連結部３６は前記円柱状空洞部３５内に存在しており、前記連結部は、例えば、分離キー３１と同一である第２分離キー（図示しない）の同一の連結部に結合可能であるような形状とされている。連結部３６はスナップ結合により分離ピン３７に結合され、該分離ピン３７は円柱状空洞部３５の底部に存在している。開口部３８は、中空円筒部３４の壁部における分離ピン３７の位置に形成されている。このタイプの構成により、単純かつ精確な手法で分離キー３１を製造することが可能となっている。なぜならば、剪断ピン３７の厚さは容易に金型内で調整可能であるからである。ここで、分離キー３１が前記金型内の移動部により形成される。前記移動部が内側に移動する程度に応じて、例えば、射出成形プロセス中に、結果として生成する剪断ピンはより厚く又はより薄くなり、よって強度がより高く又はより低くなるであろう。
【００２１】
本発明による玩具製品は、種々の材料により製造することが可能である。ここで、例えば、ポリ塩化ビニル、ポリアミド、ポリエステル、又はポリオレフィンといったプラスチックを使用することが好ましい。さらに、１つ又は２つ以上のパーツに対して砂糖といった可食材料を使用することが考えられる。
【００２２】
本発明による玩具製品は、種々の形態及び／又は色で製造することが可能であり、例えば、玩具製品の部分を構成する結合要素が折れるであろう力又はトルクの符号又は表示として作用することが可能である。
【００２３】
上述の記載により、本発明による玩具製品は非常に多様なゲーム及び競争を可能とすることが明らかであろう。よって、例えば、玩具製品をチップスの袋又はコーンフレークの箱に添えることにより、（玩具製品が例えば全国的に分配される）競争が考えられよう。さらに、この競争において、非常に強い玩具製品を有していると考える人は誰でも決勝に参加することができる日が組織化されている。さらに、本玩具製品のハンドル及び／又は連結部は、特に、それらが全ての種類の特別な色で作られているならば、又はそれらが絵又はテキストを具備しているならば、コレクターのアイテムとして機能することができる。さらに、玩具製品又は該玩具製品の特定部分が、一種のクーポンとして機能することができる。これにより、例えば１０個の玩具製品が、ソフトドリンク１本又は練り歯磨き１チューブと交換可能である。
【００２４】
ハンドル及び／又は連結部は、文字又は絵文字といったシンボルを具備してもよい。よって、ともに「ＢＡＣＫＰＡＣＫ」との語をつづっている文字をそれぞれ具備した複数の玩具製品の所有者は、該玩具製品を実際のバックパックと交換することが可能であろう。結合要素が依然として無傷である限り、シンボルが目に見えないことが好ましい。
【００２５】
玩具製品の卸売業者がプレイボード（ｐｌａｙｉｎｇ ｂｏａｒｄ）を提供することができるゲームのコマとして適切なようにハンドルを作るために、各種の色と絵の組合せを使用してもよい。
【００２６】
本発明は上述しかつ図面に示した如き実施形態に制限されない。本発明は、特許請求の範囲にて規定した如き本発明の範囲を逸脱することなく、種々の方法で変更可能である。
【００２７】
よって、玩具製品をチップス、コーンフレーク、チューイングガム、粉末の洗剤、又は他の製品のためのパッケージに添えることが可能である。ソフトドリンクのボトルのキャップの内側に連結部を添付することも可能である。これにより、キャップも本玩具製品用ハンドルとして機能する。玩具製品それ自体を売ることも可能であることは理にかなっている。
【図面の簡単な説明】
【図１】互いに結合される直前の本発明による２つの同一の分離キーを示した図である。
【図２】互いに結合されて、一方の結合要素が外れた後の図１による各分離キーの詳細図である。
【図３Ａ】本発明による第２分離キーの上平面図である。
【図３Ｂ】図３Ａによる分離キーの側面図である。
【図３Ｃ】図３Ａによる分離キーの正面図である。
【符号の説明】
３，３２  ハンドル
５，３５  円柱状空洞部
６，３６  連結部
７  円柱部分
８，８’  空洞部分
９，９’  突出部
１０，３７  分離ピン（結合要素）
【国際公開パンフレット】
2004521716.tif 000003
2004521716.tif 000004
2004521716.tif 000005
2004521716.tif 000006
2004521716.tif 000007
2004521716.tif 000008
2004521716.tif 000009
2004521716.tif 000010
2004521716.tif 000011
2004521716.tif 000012
2004521716.tif 000013
2004521716.tif 000014
【国際調査報告】
2004521716.tif 000015
2004521716.tif 000016